(57)【要約】【課題】防犯対策の面でもまたは調光の面でも有効であり、また、住宅の美観向上にも繋がる建物の窓構造を提供する。建物の窓構造であって、各所に透光性を備える蔀戸と、この蔀戸を、前記建物の上下方向に於いて回動自在となるように建物に連結する連結部と、前記建物の庇となりうる位置を含み、この蔀戸を前記建物の上下方向に開閉させる開閉装置と、を備える建物の窓構造。【解決手段】各所に透光性を備える蔀戸３０と、この蔀戸３０を住宅１の上下方向に於いて回動自在となるように窓部１０上方の骨材２に連結する蝶番３２と、窓部１０の庇３０ａとなりうる位置を含み、この蔀戸３０を窓部１０の上下方向に開閉させる開閉装置４０と、を備えることを特徴とする。【選択図】　　図２
2004100298.tif 000002
【特許請求の範囲】
【請求項１】
建物の窓構造であって、
各所に透光性を備える蔀戸と、
この蔀戸を、前記建物の上下方向に於いて回動自在となるように建物に連結する連結部と、
前記建物の庇となりうる位置を含み、この蔀戸を前記建物の上下方向に開閉させる開閉装置と、
を備えることを特徴とする建物の窓構造。
【請求項２】
前記連結部は、前記蔀戸の上端を前記建物の窓上方に連結し、
前記開閉装置は、その蔀戸の面盤部分が前記建物の側壁に対して略直角となる位置を庇となりうる位置として、蔀戸を保持することを特徴とする請求項１に記載の建物の窓構造。
【請求項３】
前記蔀戸は、前記建物に設けられるバルコニの直下に設けられていることを特徴とする請求項１又は２に記載の建物の窓構造。
【請求項４】
前記蔀戸の開放時に於いてその蔀戸下方に作り出される日陰にテラスを配置することを特徴とする請求項１から３の何れかに記載の建物の窓構造。
【請求項５】
前記蔀戸は、等間隔に組まれた格子状のフレームにて構成されていることを特徴とする請求項１から４の何れかに記載の建物の窓構造。
【請求項６】
上下開閉式の格子状蔀戸を定位置に支持する補助具であって、
前記格子状蔀戸の裏面側を支える支持ロッドと、
この支持ロッドの先端に設けられ、前記格子状蔀戸の格子に係合して蔀戸に対する支持ロッドの位置ズレを抑制する係合部と、
を備えることを特徴とする補助具。
【請求項７】
前記係合部には、格子の開口形状に略等しい係合固定片が設けられ、さらに、この係合固定片には、係合固定片を格子に挿入する第１の操作と、この係合固定片を格子の周方向に捻る第２の操作によって、この係合固定片を格子に固定する固定機構が設けられていることを特徴とする請求項６に記載の補助具。
【発明の詳細な説明】
【０００１】
【発明の属する技術分野】
本発明は、建物の窓構造に関し、より詳細には、蔀戸を備える建物の窓構造に関する。
【０００２】
【従来の技術】
住宅の窓構造として、シャッターを備えた窓構造が知られている。
この窓構造は、シャッターを閉じることで外部からの音（騒音）の進入を遮断できるため、例えば、幹線道路近隣や都心部近郊といった比較的騒音の多い住宅地でよく見かけられる。
【０００３】
また、近年では、都心部及び幹線道路の近郊のみならず、閑静な住宅地等でもこのシャッターの需要が高くなってきている。この背景として、防犯上の理由が考えられる。すなわち、近年では、閑静な住宅地を狙った犯罪（例えば、空き巣）が多発しており、この現状を考えると窓からの進入を防止できるシャッターの設置が防犯状の有効な手だてとなる（例えば、特許文献１参照。）。
【０００４】
【特許文献１】
特開平５−２４８１５７
【０００５】
【発明が解決しようとする課題】
ところで、本発明者等によれば、上記したシャッターを備える窓構造について幾つか改善すべき点が見いだされた。
まず、シャッターは、騒音対策及び防犯対策等で有利であるものの窓全体を閉鎖するため、住宅の外観が商業店らしくなり、住宅の美観を損なうといった問題がある。
【０００６】
また、シャッターに加えて庇を設ける場合には、窓上部に設けられたシャッター扉用のシャッターケースが邪魔になるなどの施工上の不都合もあった。
【０００７】
本発明は、上記した技術的課題を解決するためになされたもので、防犯対策の面でも有効であり、また、住宅の美観向上にも繋がる建物の窓構造を提供することを課題とする。
【０００８】
【課題を解決するための手段】
上記した技術的課題を解決するため、本発明では、以下の構成とした。
すなわち、本発明は、建物１の窓構造であって、
各所に透光性を備える蔀戸３０と、
この蔀戸３０を、前記建物１の上下方向に於いて回動自在となるように建物に連結する連結部３２と、
前記建物１の庇３０ａとなりうる位置を含み、この蔀戸３０を前記建物の上下方向に開閉させる開閉装置４０と、
を備えることを特徴とする。
【０００９】
このように構成された本発明の窓構造では、透光性を各所に有する蔀戸３０を備えている。また、この蔀戸３０は、その建物１の上下方向に対して回動自在に設けられている。また、建物１の庇３０ａとなりうる位置を含み、この蔀戸３０を建物１の上下方向に稼働させる開閉装置４０を備えている。従って、この蔀戸３０を庇３０ａとなりうる位置にて保持すれば、蔀戸３０が庇３０ａとしての機能を持ち、また、常態（閉じた状態）ではこの蔀戸３０が窓１０ａを保護し、防犯用のシャッターとして機能する。また、蔀戸３０は各所に透光性を備えるため、庇３０ａとしての使用時には、蔀戸下方に影模様が映し出される。
【００１０】
また、前記連結部３２は、前記蔀戸３０の上端を前記建物１の窓上方に連結し、
前記開閉装置４０は、その蔀戸３０の面盤部分が前記建物１の側壁に対して略直角となる位置を庇３０ａとなりうる位置として、蔀戸３０を保持する構成としてもよい。
【００１１】
この構成では、蔀戸３０が窓１０ａの上方に回動することで、蔀戸３０の開放状態となる。また、蔀戸３０が建物１側壁に対して略直角となる位置を庇３０ａとなりうる位置として設定している。
【００１２】
また、前記蔀戸３０は、建物１に設けられるバルコニ２１の直下に設けるのが望ましい。　この構成では、バルコニ２１の張り出しに開閉装置４０を内蔵できるといった利点が得られる。
【００１３】
また、前記蔀戸３０の開放時に於いてその蔀戸３０下方に作り出される日陰にテラス１１を配置する構成としてもよい。この構成では、蔀戸３０によって作り出される影模様がテラス１１に映し出され、更なる美観の向上に繋がる。
【００１４】
また、前記蔀戸３０は、等間隔に組まれた格子状のフレーム３１にて構成しても良い。
この構成では、蔀戸３０によって整然と影模様が映し出されるため、直線を貴重とした窓周囲のデザインと影模様との調和が得られる。
【００１５】
また、上下開閉式の格子状蔀戸３０を定位置に支持する補助具５０であって、前記補助具５０は、前記格子状蔀戸３０の裏面側を支える支持ロッド５１と、この支持ロッド５１の先端に設けられ、前記格子状蔀戸３０の格子に係合して蔀戸に対する支持ロッド５１の位置ズレを抑制する係合部５２と、
を備えることを特徴とする。
【００１６】
この構成では、上下開閉式の蔀戸３０を、この補助具５０の使用によって補助的に支えることができる。また、補助具５０には、蔀戸３０に係合する係合部５２が設けられるため、補助具５０の位置ずれ、すなわち支持ロッド５１の位置ズレが抑制される。
【００１７】
なお、前記係合部５２には、格子の開口形状に略等しい係合固定片５２ｂが設けられ、さらに、この係合固定片５２ｂには、係合固定片５２ｂを格子に挿入する第１の操作と、この係合固定片５２ｂを格子の周方向に捻る第２の操作によって、この係合固定片５２を格子に固定する固定機構を設けても良い。
【００１８】
この構成では、固定機構にて、係合部５２が蔀戸３０に係合・固定されるため、より確実に支持ロッド５１の位置ズレを抑制できる。
【００１９】
【発明の実施の形態】
続いて、本発明に係る窓構造の好適な実施形態について説明する。
また、以下では、バルコニ及びテラスを備える住宅に適用した実施形態について説明するが、本発明の適用範囲並びにその詳細な仕様は、勿論、下記の説明に限定されるものではない。
【００２０】
図１に示されるように、本実施の形態に示す住宅１は、２階建鉄筋コンクリート作りの住宅である。また、その正面側（図面手前側）１階部分には、室内へと通じる窓部１０及びテラス１１が設けられている。また、２階部分には、２階の室内空間へと通じる窓部２０及びバルコニ２１が設けられている。
【００２１】
まず、１階部分の説明に先立ち、２階部分を説明する。
２階部分には、上述の如くバルコニ２１が設けられている。このバルコニ２１は、建物正面側に形成された開口部１ｂの内側からその外方へと張り出して設けられている。また、この開口部１ｂの内側に窓部２０が設けられ、この窓部２０には２階の室内空間へと通じる横開きの窓２０ａが設けられている。なお、窓２０ａは、開口部１ｂの端面より若干屋内側に下がった位置に設けられている。また、この窓２０ａを通じてバルコニ２１への出入りが可能になっている。
【００２２】
続いて、１階部分の窓部１０について説明する。
１階部分の窓部１０は、２階の窓部２０同様、建物正面側に形成された開口部１ａの内側に形成されている。また、開口部端面より若干屋内側に下がった位置に横開きの窓１０ａが設けられている。また、この窓１０ａを通じてテラス１１への出入りが可能になっている。
【００２３】
一方のテラス１１は、窓１０ａの下端から屋外へと延びている。すなわち、開口部１ａの内方から外側に張り出して設けられている。また、テラス１１は、敷地（庭）Ｇに対して一段高くなっており、その底面は木製の床パネルＧ１から構成されている。
【００２４】
そして、本実施の形態に示す住宅１では、この１階部分の窓部１０を覆う、上下開閉式の蔀戸３０を備えている。
【００２５】
以下、この蔀戸３０について詳述する。
まず、図２に示されるように、蔀戸３０は、１階の窓部１０全体を覆う格子状の木製パネル３１から構成されている。また、各格子は、略正方形をなし、蔀戸３０の各所に等間隔に形成されている。
【００２６】
また、蔀戸３０の上端は、複数の蝶番３２を介して窓部１０上方に埋設された住宅１の骨材（フレーム）２に連結されている。つまり、蔀戸３０は、窓１０ａの上部を回動の中心として１階窓部１０の上下方向に回動自在である。
【００２７】
続いて、開閉装置４０について説明する。
開閉装置４０は、バルコニ２１の張り出しに内蔵されており、電動ウィンチ４１、及び複数のリミットスイッチ（図示せず）から構成されている。
なお、このパネル３１は木製として説明したがアルミニウム製であっても良い。
【００２８】
電動ウィンチ４１は、バルコニ２１の張り出しに埋設された基部側のフレーム２１ａに固定されており、ワイヤーＷを介して蔀戸３０に連結されている。また、ワイヤーＷの経路中には、滑車４２が設けられている。この滑車４２は、バルコニ２１の基部側に設けられる電動ウィンチ４１の回転力を蔀戸３０の上下運動に変換すべくバルコニ２１先端側のフレーム２１ｂに取り付けられている。そして、この電動ウィンチ４１を作動させることで、蔀戸３０がバルコニ２１上方へと持ち上げられる仕組みになっている。
【００２９】
また、リミットスイッチは蔀戸３０の表側、及び１階窓部１０の窓枠近傍に設けられ、蔀戸３０が上昇して、蔀戸３０側のリミットスイッチから延びるアームがバルコニ２１の下面に接触したとき、および蔀戸３０が下降して、窓部１０側に設けられるリミットスイッチのアームに接触したときに、電動ウィンチ４１に対する電力の供給が断たれるようになっている。つまり、リミットスイッチは、蔀戸３０の稼働範囲を制限するための装置である。
【００３０】
また、本実施の形態では、バルコニ２１の下面が建物１の側壁面に対して略垂直になっているため、蔀戸３０開放時には、この蔀戸３０の面盤部分（表面）が建物１の側壁面に対して略垂直となる位置にて支持される。したがって、蔀戸３０開放時には、この蔀戸３０にて１階窓部１０に庇３０ａが形成されることとなる。
【００３１】
また、本実施の形態では、格子状の木製パネル３１にて蔀戸３０を構成しているため、蔀戸３０上方より日差しが差し込んだ際には、この蔀戸３０を介して格子状の影模様がテラスに映し出されることなる。また、蔀戸３０を閉じた状態では、蔀戸３０にて１階部分の窓部１０（窓１０ａ）が保護されるため、防犯用のシャッターとしてもこの蔀戸３０を利用できる。
【００３２】
このように本実施の形態に示す住宅１の窓構造は、各所に透光性を備える蔀戸３０を、住宅１の上下方向に於いて回動自在となるように１階窓部１０上方に連結し、また、この窓部１０が建物１の庇３０ａとなりうる位置、つまり蔀戸３０が窓部１０上方に跳ね上がった状態を開放位置として蔀戸３０を上下方向に開閉させる開閉装置４０を備えている。
【００３３】
よって、開閉装置４０にて蔀戸３０を上昇させれば、上述の如く１階窓部１０に庇３０ａが形成され、また、蔀戸３０を閉じた状態では、蔀戸３０にて窓１０ａが保護される。すなわち、本実施の形態では、蔀戸３０に庇３１およびシャッターとしての機能を持たせている。
【００３４】
また、蔀戸３０開放時には窓１０ａ全体が外部に露出するため、窓部１０の開放感が確保される。また、テラス１１には格子状の影模様が映し出される。
さらに、蔀戸３０を閉じた状態では、格子状の蔀戸３０を通じて室内に日光が取り込まれるため、日差しの緩衝になると同時に室内にも影模様が映し出されるなど調光機能も持つこととなる。
【００３５】
また、本実施の形態では、等間隔の格子状に組まれた蔀戸３０を使用するため、その蔀戸３０にて映し出される影模様は、直線を基調とする窓部１０周囲のデザインと調和する。また、蔀戸３０には、木製パネル３１を使用しているため、木材の暖かみと影模様との調和にて自然を彷彿させる印象を与えることができる。さらに木製床パネルを使用したテラス１１との調和もはかられる。
【００３６】
また、本実施の形態では、バルコニ２１の底部に開閉装置４０を内蔵するため、開閉装置４０の設置にて窓部１０周囲の美観を低下させる心配もない。
【００３７】
続いて、上記した蔀戸３０の開放時に用いる補助具５０について図４及び図５を参照して説明する。
まず、図４に示すように、補助具５０は、蔀戸３０を裏面側から支える支持ロッド５１と、この支持ロッド５１先端に設けられ、蔀戸３０の格子に係合することで支持ロッド５１の位置ズレを防止する係合部５２と、を備えて構成されている。
【００３８】
支持ロッド５１は、スチール管などにて構成され、その先端には、蔀戸３０の裏面側且つ複数箇所に面接触する支持プレート５２ａ及び格子内に挿入されて蔀戸３０と支持ロッド５１を係合固定する係合固定片５２ｂが設けられている。
【００３９】
支持プレート５２ａは、図４に示されるように支持ロッド５０の軸方向に対して直角となる方向に延出され、また、その支持ロッド５０の所定位置にて回動自在に設けられている。
【００４０】
一方の係合固定片５２ｂは、支持ロッド５１の先端に固定されている。また、その形状は、格子の内部形状及び内部寸法に略等しく、支持ロッド５０を捻ると、支持プレート５２ａに対して相対的に回転するよう構造になっている。
また、係合固定片５２ｂの下面側から支持プレート５２ａの表面にかけては、蔀戸３０の厚みに略等しい距離Ｋが確保されている。
【００４１】
そして、係合固定片５２ｂを格子の裏側より挿入し、さらに、この状態で係合固定片５２ｂを支持ロッド５１と共に格子の周方向に捻ると、この係合固定片５２ｂ及び支持プレート５２ａの間に格子がはさみ込まれた状態となり（図５参照）、係合部５２が格子に係合固定される。つまり、支持ロッド５１の先端が蔀戸３０に係合固定される。
【００４２】
なお、本実施の形態では、この係合固定片５２ｂ及び支持プレート５２ａにて、本発明に係る係合部５２及び固定機構を構成している。また、本実施の形態では支持プレート５２ａを利用しているが、係合固定片５２ｂの形状変更にて、この係合固定片５２ｂのみによる格子との係合固定も可能である。
【００４３】
また、この補助具５０の設置はあくまでも補助的なものであり、蔀戸３０の固定は、電動ウィンチ４１によってなされるものである。
【００４４】
【発明の効果】
以上のように本発明によれば、防犯対策の面または調光の面でも有効であり、また、住宅の美観向上にも繋がる建物の窓構造を提供できる。
【図面の簡単な説明】
【図１】本実施の形態に示す住宅の外観を示す斜視図（蔀戸を閉じた状態）
【図２】本実施の形態に示す住宅の外観を示す斜視図（蔀戸を開放した状態）
【図３】本実施の形態に示す開閉装置の概略構成図。
【図４】本実施の形態に示す蔀戸を支持する補助具の概略構成図。
【図５】本実施の形態に示す蔀戸を支持する補助具の概略構成断面図。
【図６】本実施の形態に示す係合部と格子との係合状態を説明する説明図。
【符号の説明】
１　　　住宅（建物）
１ａ　　１階部分の開口部
１ｂ　　２階部分の開口部
２　　　住宅の骨材
１０　　１階部分の窓部
１０ａ　窓
１１　　テラス
２０　　２階部分の窓部
２０ａ　窓
２１　　バルコニ
２１ａ　バルコニ基部側のフレーム
２１ｂ　バルコニ先端側のフレーム
３０　　蔀戸
３０ａ　庇
３１　　木製パネル
３２　　蝶番（連結部）
４０　　開閉装置
４１　　電動ウィンチ
４２　　滑車
５０　　補助具
５１　　支持ロッド
５２　　係合部
５２ａ　支持プレート
５２ｂ　係合固定片
Ｇ　　　敷地（庭）
Ｇ１　　木製の床パネル
Ｗ　　　ワイヤー
【図１】
2004100298.tif 000003
【図２】
2004100298.tif 000004
【図３】
2004100298.tif 000005
【図４】
2004100298.tif 000006
【図５】
2004100298.tif 000007
【図６】
2004100298.tif 000008